(57)【要約】【課題】封筒などの郵便物を含む記録媒体に対して、インダイシャ及び他の付加情報などを記録可能とすること。【解決手段】第１方向から第１経路Ｌ１に挿入される記録媒体は、所定位置に突き当たって位置決めされる。記録ヘッド１１は、所定位置の記録媒体に対して画像を記録する。突き当て部材２０は、記録媒体を所定位置に位置決めするために記録媒体が突き当てられる突き当て位置と、記録媒体が突き当てられない退避位置と、に移動可能である。搬送ローラ対６は、第２経路Ｌ２に第１方向とは異なる第２方向から記録媒体が供給されると、突き当て部材２０の退避位置への移動により第２経路Ｌ２と第１経路Ｌ１とが連続されてから、記録媒体を所定位置に搬送する。【選択図】図２
2019181885.tif 000002
【特許請求の範囲】
【請求項１】
第１方向から挿入される記録媒体が所定位置に突き当たって位置決めされる第１経路と、
前記所定位置に位置する記録媒体に対して画像を記録する記録ヘッドと、
記録媒体を前記所定位置に位置決めするために記録媒体が突き当てられる突き当て位置と、記録媒体が突き当てられない退避位置と、に移動可能な突き当て部材と、
前記第１経路とは異なる第２経路に前記第１方向とは異なる第２方向から記録媒体が供給されると、前記突き当て部材の前記退避位置への移動により前記第２経路と前記第１経路とが連続されてから、記録媒体を前記所定位置に搬送する搬送手段と、
を備えることを特徴とする記録装置。
【請求項２】
前記第２経路は、前記突き当て部材が前記退避位置に移動したときに前記第１方向に沿うように前記第１経路と連続することを特徴とする請求項１に記載の記録装置。
【請求項３】
前記搬送手段は、駆動ローラと従動ローラとを含み、
駆動ローラと従動ローラを前記突き当て部材として機能させるように、前記駆動ローラと前記従動ローラとを互いに接触する状態にロック可能なロック手段をさらに備えることを特徴とする請求項１または２に記載の記録装置。
【請求項４】
前記第１経路は、規制部材と当該規制部材に対向する載置部材との間に形成され、
前記記録ヘッドは、記録媒体を載置する前記載置部材の前記規制部材の方向への移動により前記規制部材に押し付けられる記録媒体に対して、画像を記録することを特徴とする請求項１から３のいずれか１項に記載の記録装置。
【請求項５】
前記載置部材は、記録媒体が前記第２経路から前記第１経路に導入されるときに、前記規制部材と前記載置部材との間に記録媒体がガイドされるように前記載置部材を前記規制部材の方向へ移動させることを特徴とする請求項４に記載の記録装置。
【請求項６】
前記搬送手段は、駆動ローラと従動ローラとを含み、
前記駆動ローラと前記従動ローラのうち、一方は前記載置部材に配備され、他方は前記規制部材に配備されることを特徴とする請求項４または５に記載の記録装置。
【請求項７】
記録媒体が前記所定位置まで導入されたことを検出する検出手段と、
前記検出手段の検出結果に基づいて前記載置部材の移動を制御する制御手段と、
をさらに備えることを特徴とする請求項４から６のいずれか１項に記載の記録装置。
【請求項８】
前記記録ヘッドは、前記規制部材の切り欠き部を通して前記第１経路に向かってインクを吐出可能なインクジェット記録ヘッドであることを特徴とする請求項４から７のいずれか１項に記載の記録装置。
【請求項９】
前記第１経路および前記第２経路は、記録媒体としてのラベルシートを移送可能であり、
前記記録ヘッドは、前記ラベルシートに画像を記録するためのインクを吐出するインクジェット記録ヘッドであることを特徴とする請求項１から８のいずれか１項に記載の記録装置。
【請求項１０】
前記記録ヘッドは、前記第１方向と交差する方向に沿う移動を伴って画像を記録するシリアルスキャン方式の記録ヘッドであることを特徴とする請求項１から９のいずれか１項に記載の記録装置。
【請求項１１】
第１方向から挿入される記録媒体が所定位置に突き当たって位置決めされる第１経路と、
前記所定位置に位置する記録媒体に対して画像を記録する記録ヘッドと
記録媒体を前記所定位置に位置決めするために前記記録媒体が突き当てられる突き当て位置と、記録媒体が突き当てられない退避位置と、に移動可能な突き当て部材と、
前記所定位置で記録した領域と異なる領域に記録するときに、前記突き当て部材が前記退避位置に移動されてから、記録媒体を前記異なる領域に搬送する搬送手段と、
を備えることを特徴とする記録装置。
【発明の詳細な説明】
【技術分野】
【０００１】
本発明は、郵便物などを含む記録媒体に種々の情報を記録可能な記録装置に関するものである。
【背景技術】
【０００２】
特許文献１は、封筒などの郵便物にインダイシャ（料金別納の証印）を記録可能な記録装置が記載されている。この記録装置においては、郵便物を差し込み可能な空間が上側の部材と下側の部材との間に形成されており、郵便物は、その挿入方向の先端部が空間内に定位置に備わる突き当て部材に突き当るまで差し込まれる。その後、郵便物は、下側の部材の上昇により上側の部材に押し付けられてインダイシャの記録位置に位置決めされてから、記録ヘッドによりインダイシャが記録される。
【先行技術文献】
【特許文献】
【０００３】
【特許文献１】特開２００２−１１８５５号公報
【発明の概要】
【発明が解決しようとする課題】
【０００４】
封筒などの郵便物に対しては、インダイシャの記録位置とは離れた領域にリターンアドレス（返信先）および広告などの付加情報が記録されたラベルを貼付する場合がある。この場合には、インダイシャ記録用の記録装置とは別に、ラベルに付加情報を記録するための記録装置が必要となる。
【０００５】
本発明の目的は、封筒などの郵便物を含む記録媒体に対して、インダイシャ及び他の付加情報などを記録可能とすることにある。
【課題を解決するための手段】
【０００６】
本発明の記録装置は、第１方向から挿入される記録媒体が所定位置に突き当たって位置決めされる第１経路と、前記所定位置に位置する記録媒体に対して画像を記録する記録ヘッドと、記録媒体を前記所定位置に位置決めするために記録媒体が突き当てられる突き当て位置と、記録媒体が突き当てられない退避位置と、に移動可能な突き当て部材と、前記第１経路とは異なる第２経路に前記第１方向とは異なる第２方向から記録媒体が供給されると、前記突き当て部材の前記退避位置への移動により前記第２経路と前記第１経路とが連続されてから、記録媒体を前記所定位置に搬送する搬送手段と、を備えることを特徴とする。
【発明の効果】
【０００７】
本発明によれば、封筒などの郵便物を含む記録媒体に対して、インダイシャ及び他の付加情報などを記録することができる。
【図面の簡単な説明】
【０００８】
【図１】本発明の第１の実施形態における記録装置の内部の斜視図である。
【図２】図１のＩＩ−ＩＩ線に沿う概略断面図である。
【図３】図１の記録装置の制御系のブロック図である。
【図４】図１の記録装置による封筒の記録動作の説明図である。
【図５】図１の記録装置による封筒の記録動作を説明するためのフローチャートである。
【図６】図１の記録装置によるラベルの記録動作の説明図である。
【図７】図１の記録装置によるラベルの記録動作を説明するためのフローチャートである。
【図８】本発明の第２の実施形態における記録装置の概略断面図である。
【図９】図８の記録装置による封筒の記録動作の説明図である。
【図１０】図８の記録装置による封筒の記録動作を説明するためのフローチャートである。
【図１１】図８の記録装置によるラベルの記録動作の説明図である。
【図１２】図８の記録装置によるラベルの記録動作を説明するためのフローチャートである。
【図１３】本発明の第３の実施形態における記録装置の概略断面図である。
【図１４】図１３の記録装置による封筒の記録動作の説明図である。
【図１５】図１３の記録装置による封筒の記録動作を説明するためのフローチャートである。
【発明を実施するための形態】
【０００９】
以下に、添付図面を参照して、本発明の好適な実施の形態を例示的に詳しく説明する。ただし、以下の実施形態に記載されている構成要素はあくまで例示であり、本発明の範囲をそれらのみに限定する趣旨のものではない。
【００１０】
この明細書において、「記録」（画像形成、印刷とも称する）とは、文字、図形等有意の情報を形成する場合のみに限定されない。すなわち、この明細書における「記録」とは、有意無意を問わず、また人間が視覚で知覚し得るように顕在化したものであるか否かを問わず、広く記録媒体上に画像、模様、パターン等を形成する、または媒体の加工を行う場合も表すものとする。また、「記録媒体」（シートとも称する）とは、一般的な記録装置で用いられる紙のみならず、広く、布、プラスチック・フィルム、金属板、ガラス、セラミックス、木材、皮革等、インクを受容可能なものも表すものとする。さらに、「インク」とは、上記「記録」の定義と同様広く解釈されるべきものである。すなわち、「インク」とは、記録媒体上に付与されることによって、画像、模様、パターン等の形成、または記録媒体の加工、或いはインクの処理（例えば、記録媒体に付与されるインク中の色剤の凝固または不溶化）に供され得る液体を表すものとする。
【００１１】
＜第１の実施形態＞
（記録装置の全体構成）
図１は、外装カバー等の外装部材を外した記録装置１００の内部構造を説明するための斜視図、図２は、図１のＩＩ−ＩＩ線に沿う概略断面図である。本例の記録装置１００は、いわゆるシリアルスキャン方式の記録装置である。記録装置１００には、複数の記録ヘッド１１が搭載されるキャリッジユニット１、およびキャリッジユニット１を矢印Ａの主走査方向に移動させるキャリッジ駆動部２を備えられている。また、封筒（第１記録媒体）１９などの記録媒体を第１経路Ｌ１（図２参照）に沿って矢印Ｂ方向からセット可能なセット機構３、および封筒１９などの記録媒体の位置を規制するための規制部材４が備えられている。また、記録ヘッド１１のインクの吐出状態を良好に維持するために、回復ユニット５が備えられている。また、ロール状に巻かれた長尺のラベルシート（第２記録媒体）８を第２経路Ｌ２（図２参照）に沿って矢印Ｂと反対の矢印Ｃ方向へ給送する給送部９が備えられている。さらに、ラベルシート８の幅方向の位置を規制する規制部１０、および搬送ローラ対６（６ａ，６ｂ）（図２参照）が備えられている。封筒１９を移送可能な第１経路Ｌ１と、ラベルシート８を移送可能な第２経路Ｌ２との間には、それらの経路Ｌ１、Ｌ２を分断および接続可能な突き当て部材２０（図２参照）が備えられている。これらの記録装置１００の構成要素は、記録装置１００のフレーム部材７に直接的または間接的に支持される。ラベルシート８は、長尺な台紙８ａと、その上に剥離可能に貼り付けられた複数のラベル８ｂと、を含む。
【００１２】
（キャリッジユニットおよびキャリッジ駆動部）
本例において、キャリッジユニット１に搭載される記録ヘッド１１は、インクを吐出可能なインクジェット方式の記録ヘッドであり、インクを吐出する吐出部と、インクを供給するインクタンクと、を一体化したカートリッジとして構成されている。さらに、本例の記録ヘッド１１は、第１の記録ヘッド１１ａと第２の記録ヘッド１１ｂとを含む。第１の記録ヘッド１１ａは、インダイシャ（封筒等の郵便物に記録される料金別納の証印）などを記録するための蛍光インクを吐出する。第２の記録ヘッド１１ｂは、蛍光インクとは異なり、インダイシャとは異なる画像（リターンアドレス（封筒等の郵便物に記録される返信先）や広告などの付加情報など）を記録するためのブラックインクを吐出する。記録ヘッド１１（１１ａ，１１ｂ）は、吐出口列を形成する複数の吐出口からインクを吐出するために、それぞれの吐出口に対応する吐出エネルギー発生素子を備えている。吐出エネルギー発生素子としては、例えば、電気熱変換素子（ヒータ）または電気機械変換素子（ピエゾ素子）などを用いることができる。吐出口列は、キャリッジユニット１の移動方向である主走査方向（矢印Ａ方向）に交差（本例の場合は、直交）する副走査方向（矢印ＢおよびＣ方向）に沿って形成される。
【００１３】
キャリッジ駆動部２は、駆動源であるキャリッジモータ１２、キャリッジモータ１２の駆動力をキャリッジユニット１に伝達するための駆動ベルト１３、および主走査方向に沿って延在するガイド部１４を備えている。駆動ベルト１３はキャリッジユニット１の係合部（不図示）と係合しており、駆動ベルト１３の移動に伴ってキャリッジユニット１が主走査方向に移動される。本例のキャリッジモータ１２として、ＤＣモータの他、ステッピングモータなどの種々のモータを用いることができる。ガイド部１４は、フレーム部材７に固定されており、キャリッジユニット１の主走査方向の移動をガイドする共に、記録ヘッド１１の副走査方向における位置を規制する。キャリッジユニット１の移動領域に配備されたリニアエンコーダ１５と、キャリッジユニット１側に配備されたリニアエンコーダ読取部５３（後述する図３参照）と、によって、キャリッジユニット１の主走査方向の移動位置が検出される。その検出結果に応じて、記録ヘッド１１からのインクの吐出タイミングが制御される。キャリッジユニット１の移動位置を検出するための構成は、リニアエンコーダ１５を用いる構成に限定されない。例えば、リニアエンコーダ１５の代わりにロータリーエンコーダを用いる構成、またはキャリッジモータ１２としてステッピングモータを用いる構成であってもよい。また、透過型センサなどの種々のセンサを用いることもできる。
【００１４】
（記録媒体のセット機構および規制部材）
セット機構３は、ユーザが挿入した封筒１９などの記録媒体が載置される載置部材３２と、その記録媒体を検出する検出部（第１の検出部）１７と、を備えている。本例の検出部１７は、発光部と受光部を備え、その間を通過する記録媒体による透過光の有無で記録媒体を検出するフォトセンサである。載置部材３２は、その上方に位置する規制部材４と対向する下方に位置して昇降可能に備えられており、上側の規制部材４と下側の載置部材３２との間に第１経路Ｌ１が形成される。載置部材３２は、押圧モータ３１によって回転されるカム部材２１の回転位置に応じて、圧縮コイルバネ（弾性部材）２２を介して昇降される。後述するように、規制部材４と載置部材３２との間に挿入された封筒１９などの記録媒体が検出部１７によって検出されたときに、載置部材３２が上昇することにより、記録媒体が規制部材４の下面に押し付けられる。これにより、記録ヘッド１１によって画像が記録される記録媒体の記録面の位置が規制される。記録媒体の記録面に記録された後の画像と、規制部材４と、の接触による画像の乱れを防止するために、規制部材４には複数の拍車３０が備えられている。
【００１５】
カム部材２１の回転により、載置部材３２が圧縮コイルバネ２２を介して上昇されて、記録媒体の上面（記録面）が規制部材４の下面に押し付けられる。これにより、記録媒体が様々な厚みの封筒１９などであっても、その記録媒体の記録面を所定の基準位置に規制することができる。この結果、封筒１９などの記録媒体においても、その記録面と記録ヘッド１１との対向間隔を一定に規制することができる。規制部材４には切り欠き部１８が設けられており、記録ヘッド１１の吐出部から吐出されたインクは、この切り欠き部１８を通して記録媒体に付与される。封筒１９などの記録媒体は、ユーザの手作業によって、規制部材４と載置部材３２との間の第１経路Ｌ１に挿入することができる。また、自動供給装置を用いて、封筒１９などの記録媒体を自動供給してもよい。検出部１７は、封筒１９などの記録媒体が第１経路Ｌ１内の所定位置の挿入されたことを検出するができる構成であればよく、透過センサの他、種々のセンサを用いることができる。
【００１６】
（給送部）
記録装置１００の背面に位置する給送部９は、搬送ローラ対６（駆動ローラ６ａと従動ローラ６ｂ）を用いて、ラベルシート８を矢印Ｃ方向に給送する。駆動ローラ６ａは搬送モータ２７によって駆動され、ラベルシート８の搬送量は、駆動ローラ６ａと同軸上に備えられたエンコーダ２５と、そのエンコーダ２５の回転量を検出するエンコーダセンサ２６と、によって検出される。従動ローラ６ｂは、圧縮バネ２８によって駆動ローラ６ａに押し付けられている。給送部９から給送されるラベルシート８は、検出部（第２の検出部）２３によって検出される。本例の検出部２３は、発光部と受光部を備え、それらの間を通過する記録媒体による透過光の有無を検出するフォトセンサを用いて、ラベルシート８を検出する。
【００１７】
（突き当て部材）
第１経路Ｌ１と第２経路Ｌ２との間に配置される突き当て部材２０には、昇降モータ（パルスモータ）２４のピニオン２４ａに噛合するラック部２０ａが設けられており、昇降モータ２４の回転方向に応じて昇降する。突き当て部材２０は、封筒１９などの記録媒体が矢印Ｂ方向から挿入される第１経路Ｌ１と、ラベルシート８が矢印Ｃ方向から挿入される第２経路Ｌ２と、の間において昇降される。突き当て部材２０は、図２のような上昇位置（突き当て位置）にあるときに、それら２つの経路Ｌ１，Ｌ２の間に介在して、それらの経路を分断する。また、突き当て部材２０は、後述するような下降位置（退避位置）にあるときに、それら２つの経路Ｌ１，Ｌ２の間から退避して、それらの経路を連続させる。
【００１８】
（制御系）
図３は、記録装置１００における制御系の構成を説明するためのブロック図である。制御部５０は、ＣＰＵ８２、ＡＳＩＣ８３、記録ヘッド１１の駆動制御部９７、各種モータの駆動を制御する駆動部８６、および駆動部８６の出力ポート８５などを備える。ＣＰＵ８２は、プログラムＲＯＭ９３に記憶された制御プログラムを実行する。プログラムＲＯＭ９３には、本実施形態における記録装置１００の動作を実現するための制御プログラムおよび各種テーブルが記憶されている。また、ＣＰＵ８２の作業用のメモリとして、ワークＲＡＭ９４が使用される。ＣＰＵ８２には、ホストＰＣ（ホスト装置）８０から送信された画像データおよび記録コマンド等がインタフェースコントローラ８１を介して入力される。さらに、ＣＰＵ８２には、種々の指令およびデータの入力を行うための操作パネル９６が接続されており、ＣＰＵ８２は、操作パネル９６から入力された指令に基づいて種々の制御を実行する。すなわち、ＣＰＵ８２は、ＡＳＩＣ８３を制御して、画像データに基づく記録動作、検出部１７，２３からの信号に基づく記録媒体の検出、および記録ヘッド１１のメンテナンス動作等、記録装置１００の全体の動作を統括的に制御する。ＡＳＩＣ８３は、インタフェースコントローラ８１およびＣＰＵ８２を介してホストＰＣ８０から送信されたコマンドを解析して、記録ヘッド１１の制御部９７およびモータの駆動部８６などを制御する。
【００１９】
操作パネル９６から記録動作指令が入力された場合、ＣＰＵ８２は、ホストＰＣ８０から送られた２値化された記録データをイメージメモリ８４にビットマップ展開する。さらにＣＰＵ８２は、ＡＳＩＣ８３を介してキャリッジモータ１２を駆動し、記録ヘッド１１と共にキャリッジユニット１をホームポジションから主走査方向に沿って移動させる。ＣＰＵ８２は、リニアエンコーダ読取部５３からの信号に基づいて、記録ヘッド１１の移動位置を検出する。記録ヘッド１１が記録媒体に対して画像を記録する領域（記録領域）に達したときに、ＣＰＵ８２は、ＡＳＩＣ８３を介して記録ヘッドの駆動制御部９７を制御し、記録データに基づいて記録ヘッド１１の吐出口からインクを吐出させる。これにより、記録媒体の記録領域に画像が記録される。
【００２０】
（封筒に対するインダイシャの記録）
図４は、封筒１９に対するインダイシャの記録動作を説明するための記録装置１００の概略断面図、図５は、その記録動作を説明するためのフローチャートである。図５における一連の処理は、制御部５０のＣＰＵ８２がＲＯＭ９３に記憶されているプログラムコードをＲＡＭ９４に展開して実行することにより行われる。また、図５におけるステップの一部または全部の機能をＡＳＩＣまたは電子回路等のハードウェアで実現してもよい。なお、図５の各処理の説明における記号「Ｓ」は、フローチャートにおけるステップであることを意味する。
【００２１】
封筒１９にインダイシャを記録する場合には、図４（ａ）のように、突き当て部材２０を上昇位置に移動させた状態とし（Ｓ１）、かつ載置部材３２は、カム部材２１の最小外径部２１ａによって下降位置に移動させた状態とする（Ｓ２）。このような状態において、ユーザが載置部材３２と規制部材４との間の第１経路Ｌ１内に封筒１９を矢印Ｂ方向から挿入（手差し）する（Ｓ３）。その封筒１９は、先端が突き当て部材２０に突き当たる位置まで差し込まれることにより、図４（ｂ）のように、その斜行が矯正されると共に、その存在が検出部１７（フォトセンサ）によって検出される（Ｓ４）。
【００２２】
検出部１７（フォトセンサ）が封筒１９を検出したことを条件として、図４（ｂ）のように、載置部材３２を上昇させて（Ｓ５）、封筒１９の上面を規制部材４の下面に押し付けて位置決めする。本例の場合は、カム部材２１が図４（ａ）状態から約１８０度回転することにより、その最大外径部２１ｂによって載置部材３２を上昇させる。載置部材３２は、圧縮コイルバネ２２を介して上昇されるため、様々な厚みの封筒１９を規制部材４に押し付けて、封筒１９の記録面と記録ヘッド１１とが対向したときの間隔を一定に規制することができる。
【００２３】
その後、記録ヘッド１１と共にキャリッジユニット１を主走査方向に移動させつつ、第１の記録ヘッド１１ａから蛍光インクを吐出することにより、その蛍光インクを規制部材４の切り欠き部１８を通して封筒１９に付与してインダイシャを記録する（Ｓ６）。
【００２４】
このような記録動作の後、図４（ｃ）のように、載置部材３２が下降位置まで移動することにより（Ｓ７）、ユーザは、記録済みの封筒１９を引き出すことができる。その後、突き当て部材２０を下降位置に移動させて（Ｓ８）、図５の一連の処理を終了する。また、突き当て部材２０は、図４（ａ）のような上昇位置に移動させたままとしてもよい。
【００２５】
（ラベルシートに対する記録）
図６は、ラベルシート８に対する画像の記録動作を説明するための記録装置１００の概略断面図、図７は、その記録動作を説明するためのフローチャートである。図７における一連の処理は、制御部５０のＣＰＵ８２がＲＯＭ９３に記憶されているプログラムコードをＲＡＭ９４に展開して実行することにより行われる。また、図７におけるステップの一部または全部の機能をＡＳＩＣまたは電子回路等のハードウェアで実現してもよい。なお、図７の各処理の説明における記号「Ｓ」は、フローチャートにおけるステップであることを意味する。
【００２６】
ラベルシート８に画像を記録する場合には、図６（ａ）のように、突き当て部材２０を上昇位置に移動させた状態とし（Ｓ１１）、かつ載置部材３２は、カム部材２１の最小外径部２１ａによって下降位置に移動させた状態とする（Ｓ１２）。このような状態において、ユーザが矢印Ｃ方向から第２経路Ｌ２内にラベルシート８を差し込む（Ｓ１３）。ラベルシート８は、その先端部が駆動ローラ６ａと従動ローラ６ｂとの間のニップ部に突き当たるまで差し込まれることにより、その斜行が矯正されると共に、その存在が検出部２３（フォトセンサ）によって検出される（Ｓ１４）。検出部２３（フォトセンサ）によってラベルシート８が検出されたことを条件として、図６（ｂ）のように、突き当て部材２０を下降位置に移動させ（Ｓ１５）、載置部材３２を上昇させる（Ｓ１６）。本例の場合は、カム部材２１が図６（ａ）状態から約９０度回転することにより、最小外径部２１ａと最大外径部２１ｂとの間の中間の外径を有する中間外径部２１ｃによって載置部材３２を上昇させる。これにより載置部材３２は、第１経路Ｌ１に導入されるラベルシート８を規制部材４との間においてガイド可能となる。
【００２７】
その後、図６（ｃ）のように、駆動ローラ６ａを駆動してラベルシート８を矢印Ｃ方向に搬送し（Ｓ１７）、ラベル８ｂの記録領域を切り欠き部１８の下方に位置させる。ラベルシート８の搬送量は、ローラ軸と同軸のエンコーダの回転を検出するエンコーダセンサ２６の検出信号に基づいて管理する。ラベル８ｂの記録領域が切り欠き部１８の下方に位置する状態において、記録ヘッド１１と共にキャリッジユニット１を主走査方向に移動させつつ、第２の記録ヘッド１１ｂからブラックインクを吐出する（Ｓ１８）。これにより、ブラックインクをラベル８ｂに付与して、インダイシャとは異なる種々の情報を記録することができる。ラベル８ｂが封筒１９に貼付されるものである場合には、そのラベル８ｂにリターンアドレスなどの付加情報を記録することができる。
【００２８】
ラベル８ｂの記録領域を切り欠き部１８の下方に位置させるラベルシート８の搬送動作（Ｓ１７）、および記録領域に対する画像の記録動作（Ｓ１８）は、所定数のラベル８ｂに対する記録が完了するまで繰り返す（Ｓ１９）。１つのラベル８ｂに複数の記録領域が存在する場合には、次の記録領域を規制部材４の切り欠き部１８の下方に位置させるよう搬送動作（Ｓ１７）と、その記録領域に対する記録動作（Ｓ１８）と、を繰り返す。例えば、ブラックインク吐出用の記録ヘッド１１ｂにおける吐出口列の長さ分の搬送動作と、その記録ヘッド１１ｂによる記録動作と、を繰り返す。画像が記録されたラベルシート８は、図６（ｄ）のように、第１経路Ｌ１の端部に位置する封筒１９の挿入口から排出される。ラベルシート８に対する記録が完了した後、図７の処理を終了する。ユーザは、ラベル８ｂの相互間に形成されたミシン目から、ラベルシート８を切り離す（Ｓ２０）。
【００２９】
矢印Ｃ方向から給送する記録媒体は、ラベルシート８のような長尺な記録媒体に特定されず、カット紙などの短いものであってもよい。また、突き当て部材２０を上昇位置および下降位置に移動させるための構成は、昇降モータ２４などを含む昇降機構を用いる構成に限定されず、例えば、ユーザによる切り換えレバーなどの操作に応じて、突き当て部材２０を移動させる構成であってもよい。突き当て部材２０は、突き当て位置と退避位置に移動可能であればよく、その移動方向は上下方向に限定されない。
【００３０】
＜第２の実施形態＞
図８から図１２は、本発明の第２の実施形態を説明するための図である。本実施形態においては、図８のように、第１の実施形態における突き当て部材２０の代わりに、その機能を搬送ローラ対６に持たせるためのロック機構２９を備える。その他の構成は、第１の実施形態と同様である。
【００３１】
本例のロック機構２９は、不図示のソレノイドの一方向の駆動によって規制部材を一方向に移動させたときに、従動ローラ６ｂが駆動ローラ６ａから離間できないように、規制部材が従動ローラ６ｂの軸の位置を規制するように構成されている。ソレノイドを他方向に駆動させて規制部材を他方向に移動させたときには、従動ローラ６ｂの軸に対する位置の規制が解除される。ロック機構２９によって、従動ローラ６ｂが駆動ローラ６ｂとの接触状態にロックされたときに、従動ローラ６ｂと駆動ローラ６ａとの間のニップ部が付き当て部材２０として機能する。ロック機構２９は、従動ローラ６ｂをより強力に駆動ローラ６ａに押し付ける構成であってもよい。要は、従動ローラ６ｂと駆動ローラ６ａとを互いに接触する状態にロック可能であって、駆動ローラ６ａと従動ローラ６ｂとを付き当て部材２０として機能させることができる構成であればよい。ロック機構２９は、従動ローラ６ｂを駆動ローラ６ａとの接触状態にロックすると共に、従動ローラ６ｂを回転しないようにロックする構成であってもよい。
【００３２】
（封筒に対するインダイシャの記録）
図９は、封筒１９に対するインダイシャの記録動作を説明するための記録装置の概略断面図、図１０は、その記録動作を説明するためのフローチャートである。本例のインダイシャの記録動作においては、第１の実施形態の図５のフローチャートにおける突き当て部材２０の移動（Ｓ１，Ｓ８）の代わりに、図１０のように、ロック機構２９を制御（Ｓ２１，Ｓ２２）する。その他の動作は、第１の実施形態と同様であるため、図５のフローチャートと同様の処理については同一のステップ番号を付す。
【００３３】
封筒１９にインダイシャを記録する場合には、ロック機構２９のロック動作により従動ローラ６ｂの位置をロックした状態とし（Ｓ２１）、かつ、図９（ａ）のように載置部材３２を下降位置に移動させた状態とする（Ｓ２）。このような状態において、ユーザが載置部材３２と規制部材４との間の第１経路Ｌ１内に矢印Ｂ方向から封筒１９を挿入する（Ｓ３）。その封筒１９は、駆動ローラ６ａと従動ローラ６ｂのニップ部に突き当たる位置まで差し込まれることにより、図９（ｂ）のように、挿入された封筒の斜行が矯正されて位置決めされると共に、その存在が検出部１７（フォトセンサ）によって検出される（Ｓ４）。
【００３４】
検出部１７（フォトセンサ）が封筒１９を検出したことを条件として、図９（ｂ）のように、載置部材３２を上昇させて（Ｓ５）、封筒１９の上面を規制部材４の下面に押し付けて位置決めする。その後、記録ヘッド１１と共にキャリッジユニット１を主走査方向に移動させつつ、第１の記録ヘッド１１ａから蛍光インクを吐出することにより、その蛍光インクを規制部材４の切り欠き部１８を通して封筒１９に付与してインダイシャを記録する（Ｓ６）。
【００３５】
このような記録動作の後、図９（ｃ）のように、載置部材３２が下降位置に移動することにより（Ｓ７）、ユーザは、記録済みの封筒１９を引き出すことができる。その後、ロック機構２９による従動ローラ６ｂのロックを解除して（Ｓ２２）、図１０の一連の処理を終了する。また、従動ローラ６ｂは、ロック機構２９によってロックされたままとしてもよい。
【００３６】
（ラベルシートに対する記録）
図１１は、ラベルシート８に対する画像の記録動作を説明するための記録装置の概略断面図、図１２は、その記録動作を説明するためのフローチャートである。本例の記録動作においては、第１の実施形態の図７のフローチャートにおける突き当て部材２０の移動（Ｓ１１，Ｓ１５）の代わりに、図１２のように、ロック機構２９を制御（Ｓ３１，Ｓ３２，Ｓ３３）する。その他の動作は、第１の実施形態と同様であるため、図７のフローチャートと同様の処理については同一のステップ番号を付す。
【００３７】
ラベルシート８に画像を記録する場合には、ロック機構２９のロック動作により従動ローラ６ｂの位置をロックした状態とし（Ｓ３１）、かつ、図１１（ａ）のように載置部材３２を下降位置に移動させた状態とする（Ｓ１２）。このような状態において、ユーザが矢印Ｃ方向から第２経路Ｌ２内にラベルシート８を差し込む（Ｓ１３）。ラベルシート８は、その先端部が駆動ローラ６ａと従動ローラ６ｂとの間のニップ部に突き当たるまで差し込まれることにより、挿入された封筒の斜行が矯正されて位置決めされると共に、その存在が検出部２３（フォトセンサ）によって検出される（Ｓ１４）。検出部２３（フォトセンサ）によってラベルシート８が検出されたことを条件として、ロック機構２９による従動ローラ６ｂのロックを解除して（Ｓ３２）、図１１（ｂ）のように載置部材３２を上昇させる（Ｓ１６）。これにより載置部材３２は、第１経路Ｌ１に導入されるラベルシート８を規制部材４との間においてガイド可能となる。
【００３８】
その後、図１１（ｃ）のように、搬送ローラ対６によりラベルシート８を矢印Ｃ方向に搬送して（Ｓ１７）、ラベル８ｂの記録領域を切り欠き部１８の下方に位置させる。この状態において、記録ヘッド１１と共にキャリッジユニット１を主走査方向に移動させつつ、第２の記録ヘッド１１ｂからブラックインクを吐出する（Ｓ１８）。ラベル８ｂの記録領域を切り欠き部１８の下方に位置させるラベルシート８の搬送動作（Ｓ１７）、および記録領域に対する画像の記録動作（Ｓ１８）は、所定数のラベル８ｂに対する記録が完了するまで繰り返す（Ｓ１９）。画像が記録されたラベルシート８は、図１１（ｄ）のように、第１経路Ｌ１の端部に位置する封筒１９の挿入口から排出される。ラベルシート８に対する記録が完了した後、図１２の処理を終了する。ユーザは、ラベル８ｂの相互間に形成されたミシン目から、ラベルシート８を切り離す（Ｓ２０）。
【００３９】
＜第３の実施形態＞
図１３は、本発明の第３の実施形態における記録装置の概略断面図である。本実施形態においては、封筒１９などの記録媒体の複数回の搬送動作と記録動作とを伴って、その記録媒体における複数の記録領域に対して画像を記録する。そのために、駆動ローラ６ａが規制部材４側に配備され、従動ローラ６ｂが載置部材３２側に配備され、拍車３０が搬送ローラ対６よりも矢印Ｂ方向の下流側に配備されている。その他の構成は、第１の実施形態と同様である。
【００４０】
（封筒に対するインダイシャおよび付加情報の記録）
図１４は、封筒１９に対するインダイシャおよび付加情報（リターンアドレスなどを含む）の記録動作を説明するための記録装置の概略断面図である。図１５は、その記録動作を説明するためのフローチャートであり、第１の実施形態における図５のフローチャートと同様の処理については、同一のステップ番号を付す。
【００４１】
封筒１９にインダイシャおよび付加情報を記録する場合には、図１４（ａ）のように、突き当て部材２０を上昇位置に移動させた状態とし（Ｓ１）、かつ載置部材３２を下降位置に移動させた状態とする（Ｓ２）。従動ローラ６ｂは、載置部材３２と共に移動し、載置部材３２が下降位置にあるときには駆動ローラ６ａから下方に離間する。このような状態において、ユーザが載置部材３２と規制部材４との間の第１経路Ｌ１内に封筒１９を矢印Ｂ方向から挿入する（Ｓ３）。その封筒１９は、先端が突き当て部材２０に突き当たる位置まで差し込まれることにより、図１４（ｂ）のように、その斜行が矯正されると共に、その存在が検出部１７（フォトセンサ）によって検出される（Ｓ４）。
【００４２】
検出部１７（フォトセンサ）が封筒１９を検出したことを条件として、図１４（ｂ）のように、載置部材３２を上昇させて（Ｓ５）、封筒１９の上面を規制部材４の下面に押し付けて位置決めする。また、従動ローラ６ｂは、載置部材３２と共に上昇することにより、駆動ローラ６ａとの間において封筒１９を挟む。
【００４３】
その後、記録ヘッド１１と共にキャリッジユニット１を主走査方向に移動させつつ、第１の記録ヘッド１１ａから蛍光インクを吐出することにより、封筒１９における所定の記録領域にインダイシャを記録する（Ｓ６）。インダイシャの記録後、図１４（ｃ）のように、突き当て部材２０を下降位置に移動させてから（Ｓ４１）、駆動ローラ６ａを駆動して封筒１９を矢印Ｂ方向に搬送し（Ｓ４２）、封筒１９における次の記録領域を規制部材４の切り欠き部１８の下方に位置させる。その際、封筒１９の一部は、第２経路Ｌ２内に導入される。封筒１９の搬送量は、ローラ軸と同軸のエンコーダの回転を検出するエンコーダセンサ２６の検出信号に基づいて管理する。
【００４４】
その後、記録ヘッド１１と共にキャリッジユニット１を主走査方向に移動させつつ、第２の記録ヘッド１１ｂからブラックインクを吐出することにより、そのブラックインクを封筒１９に付与して、インダイシャ以外の付加情報を記録する（Ｓ４３）。その付加情報は、リターンアドレスなどの種々の情報を含む。図１４（ｄ）のように、封筒１９の複数の記録領域に対する記録が終了するまで、封筒１９の搬送動作と記録動作とを繰り返す（Ｓ４２，Ｓ４３，Ｓ４４）。例えば、ブラックインク吐出用の記録ヘッド１１ｂにおける吐出口列の長さ分の搬送動作と、その記録ヘッド１１ｂによる記録動作と、を繰り返す。全ての記録領域に対する記録の終了後、駆動ローラ６ａを逆転駆動して、図１４（ｅ）のように、第１経路Ｌ１の端部に位置する封筒１９の挿入口から記録済み封筒１９を排出する（Ｓ４５）。その後、ユーザが記録済みの封筒１９を引き出すことができるように、載置部材３２が下降位置まで移動してから（Ｓ７）、図１５の一連の処理を終了する。
【００４５】
本実施形態の記録装置は、第１の実施形態と同様のラベルシート８の給送部９を備えてもよく、また第２の実施形態と同様に、突き当て部材２０の機能を搬送ローラ対６に持たせてもよい。また、封筒１９に対する記録動作に伴う搬送動作は、封筒１９を矢印Ｂ方向に搬送する動作に限定されない。例えば、記録動作の前に封筒１９を矢印Ｂ方向に所定量搬送し、その後、矢印Ｃ方向における封筒１９の搬送動作と、記録動作と、を繰り返してもよい。また、記録済みの封筒１９を第２経路Ｌ２から矢印Ｂ方向に排出してもよい。駆動ローラ６ａを載置部材３２側に配備し、従動ローラ６ｂを規制部材４側に配備してもよい。
【００４６】
＜他の実施形態＞
記録装置の前面側の矢印Ｂ方向から挿入される記録媒体は、封筒のみに限定されず、例えば、ラベル、名刺、プラスチックカードなどのカット紙であってもよい。本発明の記録装置は、封筒およびラベルシートの他、カット紙およびファンフォールド紙など様々な記録媒体に対して画像が記録可能な記録装置として広く適用することができる。記録媒体に記録する画像は、インダイシャと、リターンアドレスなどの付加情報と、に限定されず、例えば、記録媒体に応じた画像、模様、およびパターン等であってもよい。記録ヘッドはインクジェット記録ヘッドに限定されず、また記録方式はシリアルッスキャン方式に限定されず、例えば、いわゆるフルライン方式であってもよい。また、本発明は、インクを含む種々の液体を媒体に付与して、その媒体を加工または処理するための装置に対しても適用することができる。
【符号の説明】
【００４７】
４  規制部材
６ａ  駆動ローラ
６ｂ  従動ローラ
８  ラベルシート（第２記録媒体）
１１：記録ヘッド
１９  封筒（第１記録媒体）
２０  突き当て部材
３２  載置部材
Ｌ１  第１経路
Ｌ２  第２経路
【図１】
2019181885.tif 000003
【図２】
2019181885.tif 000004
【図３】
2019181885.tif 000005
【図４】
2019181885.tif 000006
【図５】
2019181885.tif 000007
【図６】
2019181885.tif 000008
【図７】
2019181885.tif 000009
【図８】
2019181885.tif 000010
【図９】
2019181885.tif 000011
【図１０】
2019181885.tif 000012
【図１１】
2019181885.tif 000013
【図１２】
2019181885.tif 000014
【図１３】
2019181885.tif 000015
【図１４】
2019181885.tif 000016
【図１５】
2019181885.tif 000017